(57)【要約】【課題】液晶表示装置において、表示画像の色温度が安定する前でも、その時点における液晶パネルの表示画像の色温度に応じた適切な色温度調整を行って、規定の色温度に近い色温度の画像を液晶パネルに表示する。【解決手段】液晶表示装置は、工場出荷前に取得した、ホワイトバランス調整前の複数の時点における色温度のデータを記憶するメモリを備え、記憶された色温度のデータに基づいて、表示画像の色温度の時間的な変化の特性に応じた、複数の時点における色温度調整値の補正用のデータのテーブルを作成する。そして、工場出荷後の通常処理時において、表示画像の色温度が安定するまで、テーブルに記憶された補正用のデータに基づいて、ホワイトバランス調整後の色温度調整値を補正して（Ｓ１２）、映像信号に基づく画像を、補正後の色温度調整値により色温度調整した上で、液晶パネルに表示する（Ｓ１３）。【選択図】図５
2011215479.tif 000002
【特許請求の範囲】
【請求項１】
光源となるバックライトと、
前記バックライトから出射された光を用いて、映像信号に基づく画像を表示する液晶パネルと、
前記液晶パネルに表示される表示画像の色温度を調整するための色温度調整値を記憶した色温度調整値記憶手段と、
前記表示画像の色温度のデータを取得する色温度取得手段とを備え、
前記色温度調整値記憶手段は、ホワイトバランス調整後の色温度調整値を記憶し、
前記映像信号に基づく画像を、前記色温度調整値記憶手段に記憶している、ホワイトバランス調整後の色温度調整値に基づき色温度調整した上で、前記液晶パネルに前記表示画像として表示する液晶表示装置において、
工場出荷前に前記色温度取得手段を用いて取得した、ホワイトバランス調整前の複数の時点における色温度のデータを記憶する色温度データ記憶手段と、
前記色温度データ記憶手段に記憶された、ホワイトバランス調整前の複数の時点における色温度のデータに基づいて、前記液晶パネルにおける、前記表示画像の色温度の時間的な変化の特性を算出する色温度変化特性算出手段と、
前記表示画像の色温度が安定するまで、前記色温度変化特性算出手段により算出された前記表示画像の色温度の時間的な変化の特性に応じて、前記ホワイトバランス調整後の色温度調整値を補正する色温度調整値補正手段とをさらに備え、
前記映像信号に基づく画像を、前記色温度調整値補正手段による補正後の色温度調整値により色温度調整した上で、前記液晶パネルに前記表示画像として表示するようにしたことを特徴とする液晶表示装置。
【請求項２】
前記色温度変化特性算出手段による算出に用いられる、ホワイトバランス調整前の複数の時点における色温度のデータには、装置の起動時に、前記色温度取得手段により取得した色温度のデータと、前記表示画像の色温度が安定した後に、前記色温度取得手段により取得した色温度のデータとが含まれることを特徴とする請求項１に記載の液晶表示装置。
【請求項３】
前記色温度変化特性算出手段は、前記色温度データ記憶手段に記憶された、ホワイトバランス調整前の複数の時点における色温度のデータに基づいて、前記表示画像の色温度の時間的な変化の特性に応じた、複数の時点における色温度調整値の補正用のデータのテーブルを作成し、
前記色温度調整値補正手段は、前記テーブルに記憶された補正用のデータに基づいて、前記ホワイトバランス調整後の色温度調整値を補正することを特徴とする請求項１又は請求項２に記載の液晶表示装置。
【発明の詳細な説明】
【技術分野】
【０００１】
本発明は、バックライトを備えた液晶テレビジョン受像機等の液晶表示装置に関する。
【背景技術】
【０００２】
従来から、画面背面のバックライトを光源にして表示を行う透過型の液晶テレビジョン受像機等の液晶表示装置がある。この種の液晶表示装置には、工場出荷前に、液晶パネルの色温度調整値の調整処理であるホワイトバランス調整処理が施される。このホワイトバランス調整処理では、（通常、ユーザが、）調整用画像入力器から、ホワイトバランス調整用の画像として、暗い画像と明るい画像を入力させ、これらの画像を液晶パネルに表示させて、これらの表示画像の色温度の測定値が、いずれも規定の色温度（１２０００Ｋ（ケルビン）程度）になるように色温度調整値を調整した上で、この色温度調整値を装置内部のメモリに記憶させる処理が行われる。そして、この従来の液晶表示装置は、工場出荷後の通常処理では、入力された映像信号に基づく画像を、メモリに記憶したホワイトバランス調整後の色温度調整値に基づいて色温度調整した上で、液晶パネルに表示する。
【０００３】
上記従来の液晶表示装置のバックライトは、装置の起動後（電源投入後）、その温度が上昇して、あるレベルの温度に達しないと、発光特性が安定しない。また、液晶パネル自体も、温度によって表示特性が変わる。このため、装置の起動後、ある程度の時間が経過しないと、液晶パネルに表示された画像の色温度が安定しない。特に、光源としてＬＥＤ(Light Emitting Diode)バックライトを用いた液晶表示装置では、この傾向が顕著である。ここで、上記のホワイトバランス調整処理は、液晶パネルに表示された画像の色温度が安定するまでに必要な時間（以下、エージング時間という）の経過後（通常、電源を投入してから１時間経過後、又は液晶表示装置をエージング槽で１時間経過時の温度に暖めた後）に行われる。従って、従来の液晶表示装置は、工場出荷後の通常処理において、エージング時間の経過後には、入力された映像信号に基づく画像を、メモリに記憶した色温度調整値に基づいて色温度調整することにより、規定の色温度に近い色温度の画像を液晶パネルに表示することができる。
【０００４】
しかしながら、上記従来の液晶表示装置のバックライトでは、ホワイトバランス調整処理においてメモリに記憶した、エージング時間の経過後における装置の温度に適した（エージング時間の経過後における液晶パネルの表示画像の色温度に適した）色温度調整値に基づいて、色温度調整が行われるので、エージング時間が経過するまでは、その時点における液晶パネルの表示画像の色温度に応じた適切な色温度調整を行うことができず、規定の色温度に近い色温度の画像を液晶パネルに表示することができないという問題があった。
【０００５】
ところで、カメラの分野において、撮像画像のホワイトバランス調整を行うようにしたものが知られている（例えば、特許文献１乃至４参照）。また、液晶表示装置の分野において、色温度が互いに異なる複数の蛍光管を有するバックライト部を備え、各蛍光管毎に輝度を変化させることにより、バックライト部が照射する照射光の色温度を調整するものが知られている（特許文献５参照）。しかしながら、これらの発明では、上記の問題を解決することはできない。
【先行技術文献】
【特許文献】
【０００６】
【特許文献１】特開２００６−１４８８８１号公報
【特許文献２】特開平７−２４５７６４号公報
【特許文献３】特開平８−９８１８８号公報
【特許文献４】特許平９−３０７９１３号公報
【特許文献５】特許第４０９６１９７号公報
【発明の概要】
【発明が解決しようとする課題】
【０００７】
本発明は、上記課題を解決するものであり、表示画像の色温度が安定する前でも、その時点における液晶パネルの表示画像の色温度に応じた適切な色温度調整を行って、規定の色温度に近い色温度の画像を液晶パネルに表示することが可能な液晶表示装置を提供することを目的とする。
【課題を解決するための手段】
【０００８】
上記課題を解決するために、請求項１の発明は、光源となるバックライトと、前記バックライトから出射された光を用いて、映像信号に基づく画像を表示する液晶パネルと、前記液晶パネルに表示される表示画像の色温度を調整するための色温度調整値を記憶した色温度調整値記憶手段と、前記表示画像の色温度のデータを取得する色温度取得手段とを備え、前記色温度調整値記憶手段は、ホワイトバランス調整後の色温度調整値を記憶し、前記映像信号に基づく画像を、前記色温度調整値記憶手段に記憶している、ホワイトバランス調整後の色温度調整値に基づき色温度調整した上で、前記液晶パネルに前記表示画像として表示する液晶表示装置において、工場出荷前に前記色温度取得手段を用いて取得した、ホワイトバランス調整前の複数の時点における色温度のデータを記憶する色温度データ記憶手段と、前記色温度データ記憶手段に記憶された、ホワイトバランス調整前の複数の時点における色温度のデータに基づいて、前記液晶パネルにおける、前記表示画像の色温度の時間的な変化の特性を算出する色温度変化特性算出手段と、前記表示画像の色温度が安定するまで、前記色温度変化特性算出手段により算出された前記表示画像の色温度の時間的な変化の特性に応じて、前記ホワイトバランス調整後の色温度調整値を補正する色温度調整値補正手段とをさらに備え、前記映像信号に基づく画像を、前記色温度調整値補正手段による補正後の色温度調整値により色温度調整した上で、前記液晶パネルに前記表示画像として表示するようにしたものである。
【０００９】
請求項２の発明は、請求項１に記載の液晶表示装置において、前記色温度変化特性算出手段による算出に用いられる、ホワイトバランス調整前の複数の時点における色温度のデータには、装置の起動時に、前記色温度取得手段により取得した色温度のデータと、前記表示画像の色温度が安定した後に、前記色温度取得手段により取得した色温度のデータとが含まれるものである。
【００１０】
請求項３の発明は、請求項１又は請求項２に記載の液晶表示装置において、前記色温度変化特性算出手段は、前記色温度データ記憶手段に記憶された、ホワイトバランス調整前の複数の時点における色温度のデータに基づいて、前記表示画像の色温度の時間的な変化の特性に応じた、複数の時点における色温度調整値の補正用のデータのテーブルを作成し、前記色温度調整値補正手段は、前記テーブルに記憶された補正用のデータに基づいて、前記ホワイトバランス調整後の色温度調整値を補正するものである。
【発明の効果】
【００１１】
請求項１の発明によれば、液晶パネルに表示される表示画像の色温度が安定するまで、表示画像の色温度の時間的な変化の特性に応じて、ホワイトバランス調整後の色温度調整値を補正する。そして、補正後の色温度調整値を用いて、映像信号に基づく画像を色温度調整した上で、液晶パネルに表示画像として表示するようにした。これにより、表示画像の色温度が安定する前でも、その時点における液晶パネルの表示画像の色温度に応じた適切な色温度調整を行って、規定の色温度に近い色温度の画像を液晶パネルに表示することができる。
【００１２】
請求項２の発明によれば、上記に記載の効果を的確に得ることができる。
【００１３】
請求項３の発明によれば、簡単なアルゴリズムで、ホワイトバランス調整後の色温度調整値を補正することができる。
【図面の簡単な説明】
【００１４】
【図１】本発明の第１の実施形態に係る液晶表示装置の主要部の電気的ブロック構成図。
【図２】同液晶表示装置において工場出荷前に実行される色温度調整に関わる処理のフローチャート。
【図３】同液晶表示装置の工場出荷前のホワイトバランス調整前後における表示画像の色温度の時間的な変化の特性を示すグラフ。
【図４】同液晶表示装置の補正用データテーブルに格納された色温度調整値の補正用データを示す図。
【図５】同液晶表示装置において工場出荷後の通常処理時に実行される色温度調整に関わる処理のフローチャート。
【図６】本発明の第２の実施形態に係る液晶表示装置の工場出荷前のホワイトバランス調整前後における表示画像の色温度の時間的な変化の特性を示すグラフ。
【図７】同液晶表示装置の補正用データテーブルに格納された色温度調整値の補正用データを示す図。
【発明を実施するための形態】
【００１５】
以下、本発明の一実施形態について、図面を参照して説明する。以下の実施形態では、本発明をカラー液晶テレビジョン受像機に適用した場合の例について説明する。なお、以下に記載した実施形態は、本発明を網羅するものではなく、本発明は、下記の形態だけに限定されない。
【００１６】
図１は、本発明の第１の実施形態による液晶表示装置であるカラー液晶テレビジョン受像機（以下、液晶テレビと略す）の主要部の電気的ブロック構成を示す。第１の実施形態では、液晶テレビ１のバックライト２が、いわゆる疑似白色のＬＥＤ(Light Emitting Diode)バックライトである場合の例について説明する。液晶テレビ１は、放送局から配信されるテレビジョン放送信号（以下、テレビ放送信号と略す）を受信して、テレビ放送信号に基く画像を表示すると共に、テレビ放送信号に基く音声を出力する装置である。
【００１７】
液晶テレビ１は、光源となるＬＥＤバックライト２（以下、バックライトと略す）と、バックライト２から出射された光を用いて映像信号に基づく画像を表示する液晶パネル３と、チューナ４と、スピーカ５と、メモリ６（色温度調整値記憶手段、色温度データ記憶手段）と、調整用画像入力部７と、測定値入力部８と、リモコン２０からの無線信号を受信するリモコン受信部９と、装置各部を制御する制御部１０を備えている。制御部１０は、ＣＰＵ１１（色温度変化特性算出手段、色温度調整値補正手段）及びＲＯＭ１２を有している。ＲＯＭ１２は、液晶テレビ１の動作を制御するためのプログラムや各種データを記憶している。調整用画像入力部７には、調整用画像入力器２１が接続されて、調整用画像入力器２１からホワイトバランス調整用の調整用画像（例えば、所定の色温度の白色画像）のデータが入力される。測定値入力部８には、外部部機器であるカラーアナライザ２２が接続されて、このカラーアナライザ２２から、液晶パネル３に表示された表示画像（上記の調整用画像の表示画像）の色温度のデータが入力される。この測定値入力部８が、請求項における色温度取得手段に相当する。
【００１８】
上記のメモリ６は、液晶パネル３に表示される表示画像の色温度を調整するための色温度調整値３１と、工場出荷前にカラーアナライザ２２から測定値入力部８を介して取得した、ホワイトバランス調整前の複数の時点における色温度データ３２と、補正用データテーブル３３等のデータを記憶している。補正用データテーブル３３は、上記のホワイトバランス調整前の複数の時点における色温度データ３２に基づいて作成された、液晶パネル３の表示画像の色温度の時間的な変化の特性に応じた、複数の時点における色温度調整値３１の補正用のデータのテーブルである。
【００１９】
上記のメモリ６に記憶された色温度調整値３１は、ホワイトバランス調整前の時点では、予め定められた初期値になっているが、工場出荷時には、ホワイトバランス調整後の色温度調整値に変更（調整）されている。また、上記のメモリ６に記憶された色温度データ３２には、（工場出荷前の）ホワイトバランス調整前の時点において、液晶テレビ１を起動させて、この装置の起動時に、カラーアナライザ２２から測定値入力部８を介して取得した色温度データと、装置が起動してから１時間が経過して、液晶パネル３の表示画像の色温度が安定した後に、カラーアナライザ２２から測定値入力部８を介して取得した色温度データとが含まれる。なお、本実施形態においては、液晶パネル３の表示画像の色温度が安定するまでに必要な時間（エージング時間）が、１時間であると仮定する。
【００２０】
次に、図２のフローチャートを参照して、上記液晶テレビ１において工場出荷前に実行される、色温度調整に関わる処理について説明する。工場出荷前の調整段階において、まず、作業者は、装置の起動時（電源オン時）と、上記のエージング時間（１時間）経過後に、液晶テレビ１に調整用画像入力器２１とカラーアナライザ２２とを接続して、調整用画像入力器２１から調整用画像（例えば所定の色温度の白色画像）の画像データを入力させて、この画像データを液晶パネル３に表示させると共に、表示された調整用画像の表示画像の色温度をカラーアナライザ２２を用いて測定して、カラーアナライザ２２から入力された、電源オン時とエージング時間（１時間）経過後における調整用画像の表示画像の色温度データを、液晶テレビ１のメモリ６に記憶させるように指示操作を行う。この指示操作に応じて、液晶テレビ１のＣＰＵ１１は、上記のカラーアナライザ２２から取得した、電源オン時とエージング時間（１時間）経過後における調整用画像の表示画像の色温度データを、液晶テレビ１のメモリ６に記憶する（Ｓ１）。
【００２１】
次に、液晶テレビ１のＣＰＵ１１は、いわゆるホワイトバランス調整処理を実行する（Ｓ２）。このホワイトバランス調整処理では、作業者が、調整用画像入力器２１から、ホワイトバランスの調整用画像として、例えば、暗い白色画像と明るい白色画像の画像データを入力させ、これらの画像を液晶パネルに表示させて、これらの表示画像の色温度の測定値が、いずれも規定の色温度（本実施形態では１２０００Ｋ（ケルビン））になるように色温度調整値３１を調整した上で、この色温度調整値３１を装置内部のメモリ６に記憶させる。
【００２２】
上記のホワイトバランス調整処理が終了すると、液晶テレビ１のＣＰＵ１１は、メモリ６に記憶された、電源オン時とエージング時間（１時間）経過後における調整用画像の表示画像の色温度データ３２を用いて、（ホワイトバランス調整前の）液晶パネル３における表示画像の色温度の時間的な変化の特性を算出して、算出した表示画像の色温度の時間的な変化の特性に応じた、複数の時点における色温度調整値３１の補正用のデータのテーブルである補正用データテーブル３３を作成する（Ｓ３）。
【００２３】
図３において、特性曲線４１は、ホワイトバランス（ＷＢ）調整前における、元々の液晶パネル３の表示画像の色温度の時間的な変化の特性を示し、特性曲線４２は、ホワイトバランス調整後における、液晶パネル３の表示画像の色温度の時間的な変化の特性を示す。ここで、図中の特性曲線４１に示されるように、ホワイトバランス調整前において、電源オン時（装置の起動時）における調整用画像の表示画像の色温度が１６０００Ｋであり、エージング時間（１時間）経過後における調整用画像の表示画像の色温度が１４０００Ｋであったとすると、電源オン時と１時間経過後における表示画像の色温度の差は、２０００Ｋである。この場合には、上記のＳ３においてＣＰＵ１１により算出される、表示画像の色温度の時間的な変化の特性は、電源オン後、エージング時間（１時間）が経過するまで、表示画像の色温度が時間の経過に伴って比例的に（１次関数的に）低下する（表示画像の色温度は電源オンしてから１時間経過後までに比例的に２０００Ｋ低下する）というものである。
【００２４】
上記の表示画像の色温度の時間的な変化の特性に応じた補正用データテーブル３３には、図４に示されるように、複数の時点における色温度調整値３１の補正用データ３５が格納される。補正用データテーブル３３を構成する各補正用データ３５は、電源オン時からの経過時間のデータ（経過時間データ）３６と、各経過時間に対応した補正値のデータ（補正値データ）３７とを含んでいる。
【００２５】
上記の各経過時間に対応した補正値データ３７は、上記の表示画像の色温度の時間的な変化の特性に合わせて、電源オン時からの経過時間が増すに連れて、比例的に増加するものとなっている。すなわち、上記のように、表示画像の色温度の時間的な変化の特性は、「表示画像の色温度は電源オンしてから１時間経過後までに比例的に２０００Ｋ低下する」というものであるから、電源オンしてから１時間経過後まで（表示画像の色温度が安定するまで）の表示画像の色温度を、１時間経過後以降の（表示画像の色温度が安定した後の）表示画像の色温度に合わせようとすると、電源オン時における表示画像の色温度を２０００Ｋ低下させて、その後、１時間経過後まで、徐々に表示画像の色温度を低下させる量を少なくする必要がある。従って、電源オン時（経過時間＝０分）に対応した補正値データ３７は、−２０００Ｋであり、その後の各経過時間に対応した補正値データ３７は、経過時間が増すに従って、徐々に、負の絶対値が小さいものになっている。具体的には、電源オンしてから１時間経過後までの各経過時間に対応した補正値データ３７は、その絶対値が、６分毎に２００Ｋずつ減少したものになっている。
【００２６】
次に、図５のフローチャートを参照して、上記液晶テレビ１において工場出荷後の通常処理時に実行される、色温度調整に関わる処理について説明する。工場出荷後の通常処理時において、装置の電源がオンにされると（装置が起動されると）（Ｓ１１でＹＥＳ）、液晶テレビ１のＣＰＵ１１は、補正用データテーブル３３内の各経過時間に対応した補正値データ３７を用いて、電源オン時からの経過時間に応じて、メモリ６に記憶されたホワイトバランス調整後の色温度調整値３１を補正する（Ｓ１２）。そして、ＣＰＵ１１は、チューナ４から入力された映像信号に基づく画像を、上記Ｓ１２における補正後の色温度調整値３１により色温度調整した上で、液晶パネル３に表示画像として表示する（Ｓ１３）。なお、上記図３中の各特性曲線４１、４２は、上記Ｓ１２における補正を行う前における（工場出荷前における）、ホワイトバランス調整前後の表示画像の色温度の時間的な変化の特性を示すものである。
【００２７】
上記Ｓ１２の色温度調整値３１の補正について、より具体的に説明する。もし、工場出荷後の通常処理時において上記Ｓ１２の色温度調整値３１の補正を行わなかったとすると、図３中の特性曲線４２に示されるように、エージング時間（１時間）経過後における表示画像の色温度は、規定値の１２０００Ｋになるが、電源オンしてから１時間経過後まで（表示画像の色温度が安定するまで）の表示画像の色温度は、規定値の１２０００Ｋにはならない。従って、上記の表示画像の色温度の時間的な変化の特性に応じた各経過時間毎の補正値データ３７を用いて、電源オン時からの経過時間に応じて、メモリ６に記憶されたホワイトバランス調整後の色温度調整値３１を補正した上で、補正後の色温度調整値３１により表示画像を色温度調整することにより、電源オンしてから１時間経過後まで（表示画像の色温度が安定するまで）においても、表示画像の色温度を規定値の１２０００Ｋに近づけることができる。例えば、電源オン時には、上記Ｓ１２の色温度調整値３１の補正により、表示画像の色温度を、図３に示される（２）の幅（２０００Ｋ）の分だけ低下させて、図３中の規定値レベル４３に近づけることができる。
【００２８】
上記の点について詳述すると、図３中のホワイトバランス調整前の特性曲線４１と、ホワイトバランス調整後の特性曲線４２から分かるように、本実施形態の液晶テレビ１においてホワイトバランス調整処理の結果として調整される（下げられる）表示画像の色温度の幅は、２０００Ｋである。このため、図３中の特性曲線４１に示されるように、ホワイトバランス調整前において、電源オン時における調整用画像の表示画像の色温度が１６０００Ｋであったとしても、工場出荷後の通常処理時には、電源オン時における表示画像の色温度は、ホワイトバランス調整処理の結果として、２０００Ｋ（図中の（１）に相当）下げられ、さらに、上記Ｓ１２の色温度調整値３１の補正の結果として、２０００Ｋ（図中の（２）に相当）下げられる。このため、電源オン時においても、表示画像の色温度を１２０００Ｋの規定値レベル４３にすることができる。また、電源オンした後の１時間経過後までの各時点においても、補正用データテーブル３３内の各経過時間に対応した補正値データ３７を用いて上記Ｓ１２の色温度調整値３１の補正を行うことにより、表示画像の色温度を、各経過時間に対応した補正値データ３７の分（例えば６分経過後であれば１８００Ｋ）だけ低下させて、図３中の規定値レベル４３に近づけることができる。
【００２９】
次に、上記Ｓ１２の色温度調整値３１の補正処理における計算方法の例について説明する。この計算は、例えば電源オン時には、以下のようにして行われる。すなわち、補正用データテーブル３３内の各経過時間に対応した補正値データ３７によれば、電源オン時における補正値が−２０００Ｋであるから、電源オン時における（Ｓ１２の補正前の）表示画像の色温度は、規定値の１２０００Ｋよりも２０００Ｋ高い１４０００Ｋのはずである。そこで、この場合（電源オン時）には、（ホワイトバランス調整後の色温度調整値３１）に、（１２０００Ｋ／１４０００Ｋ）を乗算することにより、ホワイトバランス調整後の色温度調整値３１の補正計算を行う。より一般化して言うと、上記の計算方法は、（各経過時間に対応した補正後の色温度調整値３１）＝（ホワイトバランス調整後の色温度調整値３１）×｛１２０００Ｋ／（１２０００Ｋ−各経過時間に対応した補正値データ３７の値）｝という計算式で表される。
【００３０】
上記のように、本実施形態の液晶テレビ１によれば、液晶パネル３に表示される表示画像の色温度が安定するまで、表示画像の色温度の時間的な変化の特性に応じて、ホワイトバランス調整後の色温度調整値３１を補正する。そして、補正後の色温度調整値３１を用いて、映像信号に基づく画像を色温度調整した上で、液晶パネル３に表示画像として表示するようにした。これにより、表示画像の色温度が安定する前でも、その時点における液晶パネル３の表示画像の色温度に応じた適切な色温度調整を行って、規定の色温度に近い色温度の画像を液晶パネル３に表示することができる。
【００３１】
また、本実施形態の液晶テレビ１によれば、ＣＰＵ１１は、メモリ６に記憶された、ホワイトバランス調整前の複数の時点における色温度データ３２に基づいて、表示画像の色温度の時間的な変化の特性に応じた、複数の時点における色温度調整値３１の補正用のデータのテーブル（補正用データテーブル３３）を作成し、補正用データテーブル３３に記憶された各補正用データ３５に基づいて、ホワイトバランス調整後の色温度調整値３１を補正する。これにより、簡単なアルゴリズムで、ホワイトバランス調整後の色温度調整値３１を補正することができる。
【００３２】
次に、図６及び図７を参照して、本発明の第２の実施形態による液晶表示装置である液晶テレビ１について説明する。第２の実施形態の液晶テレビ１のハードウェア構成は、液晶テレビ１のバックライト２が、冷陰極管を用いたバックライト（冷陰極管バックライト）であるという点においてのみ、第１の実施形態の液晶テレビ１と異なり、他のハードウェア構成については、第１の実施形態の液晶テレビ１と同じである。
【００３３】
本実施形態では、液晶テレビ１のバックライト２として冷陰極管バックライトを用いているため、ホワイトバランス調整前における、元々の液晶パネル３の表示画像の色温度の時間的な変化の特性曲線５１と、ホワイトバランス調整後における、液晶パネル３の表示画像の色温度の時間的な変化の特性を示す特性曲線５２は、図６に示されるような形状になる。すなわち、各特性曲線５１、５２における電源オン時と１時間経過後における表示画像の色温度の差は、いずれも、第１の実施形態と同様、２０００Ｋであるが、主にＬＥＤの温度特性（温度が上昇するに連れて色温度が低くなる）と冷陰極管の温度特性（温度が上昇するに連れて色温度が高くなる）との相違に起因して、本実施形態の液晶テレビ１における各特性曲線５１、５２は、電源オン後、エージング時間（１時間）が経過するまで、表示画像の色温度が時間の経過に伴って比例的に（１次関数的に）増加する。
【００３４】
本実施形態の液晶テレビ１の補正用データテーブル３３には、図６に示される表示画像の色温度の時間的な変化の特性に応じて、図７に示されるような補正値データ３７が格納されている。すなわち、図７に示されるように、補正用データテーブル３３内に格納された補正値データ３７は、経過時間が増すに従って、徐々に、絶対値が小さいものになっている。具体的には、電源オンしてから１時間（エージング時間）経過後までの各経過時間に対応した補正値データ３７は、その（正の）値が、６分毎に２００Ｋずつ減少したものになっている。
【００３５】
次に、本実施形態の液晶テレビ１における上記Ｓ１２の色温度調整値３１の補正について、具体的に説明する。もし、工場出荷後の通常処理時において上記Ｓ１２の色温度調整値３１の補正を行わなかったとすると、図６中の特性曲線５２に示されるように、エージング時間（１時間）経過後における表示画像の色温度は、規定値の１２０００Ｋになるが、電源オンしてから１時間経過後まで（表示画像の色温度が安定するまで）の表示画像の色温度は、規定値の１２０００Ｋにはならない。従って、上記の表示画像の色温度の時間的な変化の特性に応じた各経過時間毎の補正値データ３７を用いて、電源オン時からの経過時間に応じて、メモリ６に記憶されたホワイトバランス調整後の色温度調整値３１を補正した上で、補正後の色温度調整値３１により表示画像を色温度調整することにより、電源オンしてから１時間経過後まで（表示画像の色温度が安定するまで）においても、表示画像の色温度を規定値の１２０００Ｋに近づけることができる。例えば、電源オン時には、上記Ｓ１２の色温度調整値３１の補正により、表示画像の色温度を、図６に示される（３）の幅（２０００Ｋ）の分だけ上げて、図６中の規定値レベル５３に近づけることができる。
【００３６】
上記の点について詳述すると、図６中のホワイトバランス調整前の特性曲線５１と、ホワイトバランス調整後の特性曲線５２から分かるように、本実施形態の液晶テレビ１においてホワイトバランス調整処理の結果として調整される（上げられる）表示画像の色温度の幅は、２０００Ｋである。このため、図６中の特性曲線５１に示されるように、ホワイトバランス調整前において、電源オン時における調整用画像の表示画像の色温度が８０００Ｋであったとしても、工場出荷後の通常処理時には、電源オン時における表示画像の色温度は、ホワイトバランス調整処理の結果として、２０００Ｋ（図中の（４）に相当）上げられ、さらに、上記Ｓ１２の色温度調整値３１の補正の結果として、２０００Ｋ（図中の（３）に相当）上げられる。このため、例えば電源オン時においても、表示画像の色温度を１２０００Ｋの規定値レベル５３にすることができる。また、電源オンした後の１時間経過後までの各時点においても、補正用データテーブル３３内の各経過時間に対応した補正値データ３７を用いて上記Ｓ１２の色温度調整値３１の補正を行うことにより、表示画像の色温度を、各経過時間に対応した補正値データ３７の分（例えば６分経過後であれば１８００Ｋ）だけ上げて、図６中の規定値レベル５３に近づけることができる。
【００３７】
なお、本発明は、上記の各実施形態の構成に限られず、発明の趣旨を変更しない範囲で種々の変形が可能である。例えば、上記各実施形態では、液晶パネル３の表示画像の色温度の時間的な変化の特性が、「電源オン後、エージング時間（１時間）が経過するまで、表示画像の色温度が時間の経過に伴って比例的に（１次関数的に）」変化するという特性である場合の例を示したが、液晶パネルの表示画像の色温度の時間的な変化の特性が、「電源オン後、エージング時間（１時間）が経過するまで、表示画像の色温度が時間の経過に伴って２次関数的に又は３次関数的に変化する」という特性である場合にも、本発明を適用可能である。この場合には、上記Ｓ１において、電源オン時とエージング時間経過後の色温度のデータを採取してメモリに記憶するのではなく、関数の次数に応じて、電源オンしてから１時間経過後までの複数の時点における色温度のデータを取得してメモリに記憶しておく必要がある。具体的には、２次関数的に変化するのであれば、最低３つ以上の時点における色温度のデータを取得してメモリに記憶しておく必要があり、３次関数的に変化するのであれば、最低４つ以上の時点における色温度のデータを取得してメモリに記憶しておく必要がある。
【００３８】
また、上記の各実施形態では、補正用データテーブル３３内の各経過時間に対応した補正値データ３７を用いて、電源オン時からの経過時間に応じて、メモリ６に記憶されたホワイトバランス調整後の色温度調整値３１を段階的に補正したが、表示画像の色温度の時間的な変化の特性に応じた補正用の数式を求めて、この数式に従い、電源オン時からの経過時間に応じて、メモリに記憶されたホワイトバランス調整後の色温度調整値を連続的に補正してもよい。
【符号の説明】
【００３９】
１    液晶テレビ（液晶表示装置）
２    バックライト
３    液晶パネル
６    メモリ（色温度調整値記憶手段、色温度データ記憶手段）
８    測定値入力部（色温度取得手段）
１１  ＣＰＵ（色温度変化特性算出手段、色温度調整値補正手段）
３１  色温度調整値
３２  色温度データ
３３  補正用データテーブル（色温度調整値の補正用のデータのテーブル）
３５  補正用データ（色温度調整値の補正用のデータ）
【図１】
2011215479.tif 000003
【図２】
2011215479.tif 000004
【図３】
2011215479.tif 000005
【図４】
2011215479.tif 000006
【図５】
2011215479.tif 000007
【図６】
2011215479.tif 000008
【図７】
2011215479.tif 000009